(57)【特許請求の範囲】
【請求項１】
対象ページ内のマーキング領域を特定し、特定した前記マーキング領域内の文字情報を抽出するマーキング抽出部と、
前記対象ページにおいて特定された前記マーキング領域をマスキングするマスキング処理部と、
前記対象ページについて抽出された前記文字情報を含む別ページを生成する追加ページ生成部と、
を備え、
前記追加ページ生成部は、前記別ページ内で、前記対象ページ内の前記文字情報の位置と同一の位置に前記文字情報を配置し、
前記追加ページ生成部は、複数のページのそれぞれが前記対象ページとして処理される場合、前記複数のページのうち前記マーキング領域を有さないページに対応して、前記別ページとしてブランクページを生成すること、
を特徴とする画像処理装置。
【請求項２】
前記追加ページ生成部は、抽出された前記文字情報を前記別ページ内で列挙して配置することを特徴とする請求項１記載の画像処理装置。
【請求項３】
前記マーキング抽出部は、前記マーキング領域の色を特定し、
前記追加ページ生成部は、前記対象ページ内の前記マーキング領域の色が複数ある場合、前記マーキング領域の色ごとに異なる複数の前記別ページを生成し、前記文字情報を、その文字情報の前記マーキング領域の色に対応する前記別ページに配置すること、
を特徴とする請求項１または請求項２記載の画像処理装置。
【請求項４】
前記マーキング抽出部は、前記マーキング領域の色を特定し、
前記追加ページ生成部は、前記対象ページ内の前記マーキング領域の色が複数ある場合、前記マーキング領域の色ごとに異なる複数の領域を前記別ページ内に設定し、前記文字情報を、前記複数の領域のうちの、その文字情報の前記マーキング領域の色に対応する領域に配置すること、
を特徴とする請求項１または請求項２記載の画像処理装置。
【請求項５】
請求項１から請求項４のうちのいずれか１項記載の画像処理装置と、
前記画像処理装置により得られるマスキング後の前記対象ページおよび前記別ページを印刷する印刷装置と、
を備えることを特徴とする画像形成装置。
【発明の詳細な説明】
【技術分野】
【０００１】
本発明は、画像処理装置および画像形成装置に関するものである。
【背景技術】
【０００２】
ある画像形成装置は、原稿内の、ある色彩のマーキング部分をマスキングし、マスキングした原稿を印刷することができる（例えば特許文献１参照）。これにより、原稿内のマスキングされた箇所の文字を印刷物から読み取ることができなくなる。
【先行技術文献】
【特許文献】
【０００３】
【特許文献１】特開２００９−２１８８３６号公報
【発明の概要】
【発明が解決しようとする課題】
【０００４】
上述のように、マスキングされた箇所に元々存在していた文字は特定できないため、通常、その文字を確認する場合、オリジナルの原稿を見る必要がある。しかし、オリジナルの原稿がマスキング後の原稿とは別に管理されている場合には、オリジナルの原稿を簡単に見ることはできない。また、上述の技術では、マスキングされた文字をオリジナルの原稿とは別に管理することは困難である。
【０００５】
本発明は、上記の問題に鑑みてなされたものであり、マスキングされた文字情報を管理可能とし必要に応じてその文字情報を簡単に確認できるようにする画像処理装置および画像形成装置を得ることを目的とする。
【課題を解決するための手段】
【０００６】
上記の課題を解決するために、本発明では以下のようにした。
【０００７】
本発明に係る画像処理装置は、対象ページ内のマーキング領域を特定し、特定したマーキング領域内の文字情報を抽出するマーキング抽出部と、その対象ページにおいて特定されたマーキング領域をマスキングするマスキング処理部と、その対象ページについて抽出された文字情報を含む別ページを生成する追加ページ生成部とを備える。
【０００８】
これにより、マスキングで対象ページから除去された文字情報を含む別ページが生成されるため、オリジナルの原稿とは別に、マスキングで対象ページから除去された文字情報が管理可能となり、必要に応じてその文字情報を簡単に確認できるようになる。
【０００９】
また、追加ページ生成部は、上述の別ページ内で、対象ページ内の文字情報の位置と同一の位置に、抽出された文字情報を配置する。
【００１０】
これにより、マスキングされた各箇所の文字情報を別ページ内で見つけやすい。
【００１１】
また、追加ページ生成部は、複数のページのそれぞれが対象ページとして処理される場合、その複数のページのうちマーキング領域を有さないページに対応して、上述の別ページとしてブランクページを生成する。
【００１２】
これにより、集約印刷などを行っても、マスキングされた各箇所の文字情報を別ページ内で見つけやすい。
【００１３】
また、本発明に係る画像処理装置は、上記の画像処理装置のいずれかに加え、次のようにしてもよい。この場合、追加ページ生成部は、抽出された文字情報を、上述の別ページ内で列挙して配置する。
【００１４】
これにより、別ページ内で、抽出された文字情報に要するスペースが狭くて済む。
【００１５】
また、本発明に係る画像処理装置は、上記の画像処理装置のいずれかに加え、次のようにしてもよい。この場合、マーキング抽出部は、マーキング領域の色を特定し、追加ページ生成部は、対象ページ内のマーキング領域の色が複数ある場合、マーキング領域の色ごとに異なる複数の別ページを生成し、抽出された文字情報を、その文字情報のマーキング領域の色に対応する別ページに配置する。
【００１６】
これにより、マーキング領域の色（つまり、マーキング色）に従って、文字情報を分類することができる。
【００１７】
また、本発明に係る画像処理装置は、上記の画像処理装置のいずれかに加え、次のようにしてもよい。この場合、マーキング抽出部は、マーキング領域の色を特定し、追加ページ生成部は、対象ページ内のマーキング領域の色が複数ある場合、マーキング領域の色ごとに異なる複数の領域を別ページ内に設定し、抽出された文字情報を、複数の領域のうちの、その文字情報のマーキング領域の色に対応する領域に配置する。
【００１８】
これにより、マーキング領域の色（つまり、マーキング色）に従って、文字情報を分類することができる。
【００１９】
本発明に係る画像形成装置は、上記画像処理装置のいずれかと、その画像処理装置により得られるマスキング後の対象ページおよび上述の別ページを印刷する印刷装置とを備える。
【００２０】
これにより、マスキングで対象ページから除去された文字情報が別ページに印刷されるため、オリジナルの原稿とは別に、マスキングで対象ページから除去された文字情報が管理可能となり、必要に応じてその文字情報を簡単に確認できるようになる。
【発明の効果】
【００２１】
本発明によれば、マスキングされた文字情報を管理可能とし必要に応じてその文字情報を簡単に確認できるようになる。
【図面の簡単な説明】
【００２２】
【図１】図１は、本発明の実施の形態１に係る画像形成装置の機械的な内部構成の一部を示す側面図である。
【図２】図２は、本発明の実施の形態１に係る画像形成装置の電気的な構成の一部を示すブロック図である。
【図３】図３は、実施の形態１における対象ページと別ページの例を示す図である。
【図４】図４は、実施の形態１における集約印刷時の対象ページと別ページの一例を示す図である。
【図５】図５は、実施の形態２における対象ページと別ページの例を示す図である。
【図６】図６は、実施の形態２における集約印刷時の対象ページと別ページの一例を示す図である。
【図７】図７は、実施の形態３における対象ページと別ページの例を示す図である。
【図８】図８は、実施の形態４における対象ページと別ページの例を示す図である。
【発明を実施するための形態】
【００２３】
以下、図に基づいて本発明の実施の形態を説明する。
【００２４】
実施の形態１．
【００２５】
図１は、本発明の実施の形態１に係る画像形成装置の機械的な内部構成の一部を示す側面図である。この画像形成装置は、プリンター、ファクシミリ装置、複写機、複合機などといった印刷機能を有する装置である。また、この画像形成装置は、集約印刷機能および両面印刷機能を有する。
【００２６】
実施の形態１の画像形成装置は、タンデム方式のカラー現像装置を有する。このカラー現像装置は、感光体ドラム１ａ〜１ｄ、露光装置２ａ〜２ｄおよび現像ユニット３ａ〜３ｄを有する。感光体ドラム１ａ〜１ｄは、シアン、マゼンタ、イエローおよびブラックの４色の感光体である。
【００２７】
露光装置２ａ〜２ｄは、感光体ドラム１ａ〜１ｄへレーザー光を走査しつつ照射して静電潜像を形成する装置である。レーザー光は、感光体ドラム１ａ〜１ｄの回転方向（副走査方向）に垂直な方向（主走査方向）に走査される。露光装置２ａ〜２ｄは、レーザー光の光源であるレーザーダイオード、およびそのレーザー光を感光体ドラム１ａ〜１ｄへ導く光学素子（レンズ、ミラー、ポリゴンミラーなど）を含むレーザースキャニングユニットを有する。
【００２８】
さらに、感光体ドラム１ａ〜１ｄの周囲には、スコロトロン等の帯電器、クリーニング装置、除電器などが配置されている。クリーニング装置は、１次転写後に、感光体ドラム１ａ〜１ｄ上の残留トナーを除去し、除電器は、１次転写後に、感光体ドラム１ａ〜１ｄを除電する。
【００２９】
現像ユニット３ａ〜３ｄは、シアン、マゼンタ、イエローおよびブラックの４色のトナーがそれぞれ充填されるトナーカートリッジと、トナーカートリッジ内のトナーホッパーから搬送されてくるトナーを感光体ドラム１ａ〜１ｄへ付着させる現像器とを有し、そのトナーを感光体ドラム１ａ〜１ｄ上の静電潜像に付着させてトナー画像を形成する。
【００３０】
感光体ドラム１ａ、露光装置２ａ、および現像ユニット３ａにより、マゼンタの現像が行われ、感光体ドラム１ｂ、露光装置２ｂ、および現像ユニット３ｂにより、シアンの現像が行われ、感光体ドラム１ｃ、露光装置２ｃ、および現像ユニット３ｃにより、イエローの現像が行われ、感光体ドラム１ｄ、露光装置２ｄ、および現像ユニット３ｄにより、ブラックの現像が行われる。
【００３１】
中間転写ベルト４は、感光体ドラム１ａ〜１ｄに接触し、感光体ドラム１ａ〜１ｄ上のトナー画像を１次転写される環状の像担持体（中間転写体）である。中間転写ベルト４は、駆動ローラー５に張架され、駆動ローラー５からの駆動力によって、感光体ドラム１ｄとの接触位置から感光体ドラム１ａとの接触位置への方向へ周回していく。
【００３２】
転写ローラー６は、搬送されてくる用紙を中間転写ベルト４に接触させ、中間転写ベルト４上のトナー画像を用紙に２次転写する。なお、トナー画像を転写された用紙は、定着器９へ搬送され、トナー画像が用紙へ定着される。
【００３３】
ローラー７は、クリーニングブラシを有し、クリーニングブラシを中間転写ベルト４に接触させ、用紙へのトナー画像の転写後に中間転写ベルト４に残ったトナーを除去する。
【００３４】
センサー８は、中間転写ベルト４に光線を照射し、中間転写ベルト４の表面またはその表面上のトナーパターンからの反射光を検出する。例えば、センサー８は、トナー濃度調整の際に、中間転写ベルト４の所定の領域に光線を照射し光線の反射光を検出し、その光量に応じた電気信号を出力する。
【００３５】
用紙反転部１０は、両面印刷時に一方の面の印刷後に印刷用紙を反転させて他方の面に印刷可能にして給紙する機構である。
【００３６】
図２は、本発明の実施の形態１に係る画像形成装置の電気的な構成の一部を示すブロック図である。図２に示すように、この画像形成装置は、通信装置２１、操作パネル２２、印刷装置２３、画像読取装置２４、および演算処理装置２５を備える。
【００３７】
通信装置２１は、ネットワークや周辺機器インターフェイスを介して図示せぬホスト装置に接続可能であって、所定の通信プロトコルでデータ通信を行う装置である。
【００３８】
また、操作パネル２２は、液晶ディスプレイなどの表示装置、およびタッチパネルなどの入力装置を備え、ユーザーに対する操作画面の表示およびユーザー操作の検出を行う。
【００３９】
また、印刷装置２３は、図１に示すような機械的構成で原稿画像を印刷する内部デバイスである。
【００４０】
また、画像読取装置２４は、原稿から原稿画像を光学的に読み取り、原稿画像の画像データを生成する内部デバイスである。
【００４１】
また、演算処理装置２５は、ＣＰＵ（Central Processing Unit）、ＲＯＭ（Read Only Memory）、ＲＡＭ（Random Access Memory）などを有するコンピューターであり、ＲＯＭまたは図示せぬ記憶装置に記憶されているプログラムをＲＡＭへロードし、そのプログラムをＣＰＵで実行することにより、各種処理部を実現する。
【００４２】
画像形成装置の起動後に、各種プログラムが演算処理装置２５により適宜実行される。実施の形態１では、演算処理装置２５において、通信処理部３１、要求処理部３２、画像処理部３３、コントローラー３４などの処理部が実現される。
【００４３】
通信処理部３１は、通信装置２１を制御してホスト装置などとデータ通信を実行する処理部である。例えば、通信処理部３１は、ホスト装置から印刷要求としての原稿データを受信する。
【００４４】
また、要求処理部３２は、操作パネル２２に対するユーザー操作に基づく印刷要求やホスト装置から供給される印刷要求、コピー要求などを受け付け、その要求に応じたジョブを実行させる。
【００４５】
例えば、ホスト装置から、ＰＤＬ（Page Description Language）、ＰＤＦ（Portable Document Format）などの所定のデータ形式の原稿データが印刷要求として受信されると、要求処理部３２は、その原稿データから画像データを生成する。この画像データは、ビットマップデータであり、ホスト装置からビットマップデータの原稿データが受信されると、要求処理部３２は、その原稿データをそのまま画像データとする。また、要求処理部３２は、操作パネル２２に対するユーザー操作によるコピー要求を受け付けると、画像読取装置２４により読み取られた原稿画像の画像データを取得する。
【００４６】
なお、印刷時に適用される印刷設定は、ホスト装置から供給される印刷要求、操作パネル２２に対するユーザー操作などで指定される。
【００４７】
また、画像処理部３３は、その画像データに対して所定の画像処理を実行し、印刷データ（例えば色ごとに２値化された印刷画像データ）を生成する。画像処理部３３を有する演算処理装置２５は、画像処理装置として機能する。さらに、画像処理部３３は、マーキング抽出部４１、マスキング処理部４２、および追加ページ生成部４３を有する。
【００４８】
マーキング抽出部４１は、画像データに基づく１または複数のページ画像における対象ページ内のマーキング領域を特定し、特定したマーキング領域内の文字情報を抽出する。
【００４９】
なお、マーキング抽出部４１は、ＰＤＬ、ＰＤＦなどのデータ形式の原稿データから、対象ページ内のマーキング領域を特定するようにしてもよい。また、マーキング領域は、通常の背景色（白色など）とは異なる所定の背景色を有する領域である。マーキング抽出部４１は、例えば、ユーザーにより指定された色（あるいは色の領域）または予め設定されている色（あるいは色の領域）に合致する色を有する画素が連続している集合をマーキング領域として検出する。また、文字情報は、文字認識技術によって画像から抽出されるようにしてもよいし、ＰＤＬデータやＰＤＦデータなどの原稿データ内から抽出されるようにしてもよい。
【００５０】
マスキング処理部４２は、画像データを編集して、対象ページにおいて特定されたマーキング領域をマスキングする。
【００５１】
追加ページ生成部４３は、対象ページについて抽出された文字情報を含む別ページを生成し、画像データに追加する。
【００５２】
実施の形態１では、追加ページ生成部４３は、別ページ内で、対象ページ内の文字情報の位置と同一の位置に文字情報を配置する。
【００５３】
また、実施の形態１では、追加ページ生成部４３は、複数のページのそれぞれが対象ページとして順番に処理される場合、その複数のページの各ページについての別ページを順番に生成していき、マーキング領域を有さないページに対応して、別ページとしてブランクページを生成する。
【００５４】
また、コントローラー３４は、印刷装置２３などの内部デバイスを監視および制御する処理部である。コントローラー３４は、上述のローラーなどを駆動する図示せぬ駆動源、現像バイアスおよび１次転写バイアスを印加するバイアス印加回路、並びに露光装置２を制御して、トナー画像の現像、転写および定着、並びに給紙、印刷および排紙を実行させる処理回路である。現像バイアスは、感光体ドラム１ａ〜１ｄと現像ユニット３ａ〜３ｄとの間にそれぞれ印加され、１次転写バイアスは、感光体ドラム１ａ〜１ｄと中間転写ベルト４との間にそれぞれ印加される。
【００５５】
次に、実施の形態１に係る画像形成装置の動作について説明する。
【００５６】
図３は、実施の形態１における対象ページと別ページの例を示す図である。
【００５７】
ホスト装置などから印刷要求が受信されると、マーキング抽出部４１は、原稿データまたは原稿データから得られる画像データによる各ページにおいてマーキング領域を特定し、マーキング領域内の文字情報を抽出するとともに、その文字情報の位置を特定する。抽出された各文字情報およびその位置情報は、図示せぬＲＡＭなどに保持される。
【００５８】
また、コピー要求が検出されると、マーキング抽出部４１は、画像読取装置２４により得られる画像データによる各ページにおいてマーキング領域を特定し、マーキング領域内の文字情報を抽出するとともに、その文字情報の位置を特定する。抽出された各文字情報およびその位置情報は、図示せぬＲＡＭなどに保持される。
【００５９】
図３（Ａ）に示す例では、対象ページ１０１において、マーキング領域１０２，１０３が検出され、マーキング領域１０２内の文字情報「ＦＧＨＩＪ」が抽出され、マーキング領域１０３内の文字情報「ＰＱＲＳＴ」が抽出される。
【００６０】
図３（Ｂ）に示す例では、対象ページ１２１において、マーキング領域１２２〜１２５が検出され、マーキング領域１２２内の文字情報「ＦＧ」が抽出され、マーキング領域１２３内の文字情報「ＩＪ」が抽出され、マーキング領域１２４内の文字情報「ＱＲ」が抽出され、マーキング領域１２５内の文字情報「Ｔ」が抽出される。
【００６１】
次に、マスキング処理部４２は、例えば図３（Ａ）および図３（Ｂ）に示すように、保持されている画像データを編集して、対象ページにおいて特定されたマーキング領域をマスキングする。このとき、マスキング処理部４２は、マーキング領域に属するすべて画素の値を黒色の値とする。あるいは、マスキング処理部４２は、マーキング領域に属するすべて画素の値を文字情報の色と同一の色の値とする。
【００６２】
そして、追加ページ生成部４３は、対象ページについて抽出された文字情報を含む別ページを生成し、保持されている画像データに追加する。
【００６３】
図３（Ａ）に示す例では、画像データに別ページ１１１が追加される。別ページ１１１には、対象ページ１０１から抽出された文字情報「ＦＧＨＩＪ」，「ＰＱＲＳＴ」が、対象ページ１０１と同一の位置に配置されている。
【００６４】
図３（Ｂ）に示す例では、画像データに別ページ１３１が追加される。別ページ１３１には、対象ページ１２１から抽出された文字情報「ＦＧ」，「ＩＪ」，「ＱＲ」，「Ｔ」が、対象ページ１２１と同一の位置に配置されている。
【００６５】
このようにして生成された、マスキング後の対象ページ１０１ａ，１２１ａおよび別ページ１１１，１３１から印刷データが生成される。そして、コントローラー３４は、その印刷データに基づいて、印刷装置２３を制御して、マスキング後の対象ページ１０１ａ，１２１ａおよび別ページ１１１，１３１を印刷用紙に印刷させる。
【００６６】
また、実施の形態１では、画像データが複数のページを有し、複数のページのそれぞれが順番に対象ページとして処理される場合、追加ページ生成部４３は、マーキング領域を有さない対象ページに対応して、別ページとしてブランクページを生成し、画像データに追加する。
【００６７】
図４は、実施の形態１における集約印刷時の対象ページと別ページの一例を示す図である。図４に示すように、画像データが４ページの画像１４１〜１４４を有する場合、４ｉｎ１の集約印刷後の対象ページ画像１５１が生成されるとともに、４ｉｎ１の集約印刷後の別ページ画像１５２が生成される。このとき、３頁目の画像１４３がマーキング領域を有さない場合、別ページ画像１５２では、マーキング領域を有さないページ（画像１４３）に対応する位置にブランクページ１５２ａが挿入される。
【００６８】
以上のように、上記実施の形態１によれば、マーキング抽出部４１は、対象ページ内のマーキング領域を特定し、特定したマーキング領域内の文字情報を抽出する。そして、マスキング処理部４２は、その対象ページにおいて特定されたマーキング領域をマスキングし、追加ページ生成部４３は、その対象ページについて抽出された文字情報を含む別ページを生成する。
【００６９】
これにより、マスキングで対象ページから除去された文字情報を含む別ページが生成されるため、オリジナルの原稿とは別に、マスキングで除去された文字情報が管理可能となり、必要に応じてその文字情報を簡単に確認できるようになる。
【００７０】
また、実施の形態１によれば、追加ページ生成部４３は、上述の別ページ内で、対象ページ内の文字情報の位置と同一の位置に、抽出された文字情報を配置する。これにより、マスキングされた各箇所の文字情報を別ページ内で見つけやすい。
【００７１】
実施の形態２．
【００７２】
本発明の実施の形態２に係る画像形成装置では、追加ページ生成部４３は、抽出された文字情報を別ページ内で列挙して配置する。つまり、実施の形態２では、別ページ内の先頭から順番に文字情報が配列される。
【００７３】
また、実施の形態２では、追加ページ生成部４３は、複数のページのそれぞれが対象ページとして処理される場合、その複数のページのうちマーキング領域を有さないページに対応する別ページを生成しない。
【００７４】
図５は、実施の形態２における対象ページと別ページの例を示す図である。
【００７５】
実施の形態２では、例えば図５（Ａ）に示すように、対象ページ２０１において、マーキング領域２０２，２０３が検出され、マーキング領域２０２内の文字情報「ＦＧＨＩＪ」が抽出され、マーキング領域２０３内の文字情報「ＰＱＲＳＴ」が抽出される。
【００７６】
そして、画像データに別ページ２１１が追加される。別ページ２１１には、対象ページ２０１から抽出された文字情報「ＦＧＨＩＪ」，「ＰＱＲＳＴ」が、別ページ２１１の先頭から配列されている。
【００７７】
また、例えば図５（Ｂ）に示すように、対象ページ２２１において、マーキング領域２２２〜２２５が検出され、マーキング領域２２２内の文字情報「ＦＧ」が抽出され、マーキング領域２２３内の文字情報「ＩＪ」が抽出され、マーキング領域２２４内の文字情報「ＱＲ」が抽出され、マーキング領域２２５内の文字情報「Ｔ」が抽出される。
【００７８】
そして、画像データに別ページ２３１が追加される。別ページ２３１には、対象ページ２２１から抽出された文字情報「ＦＧ」，「ＩＪ」，「ＱＲ」，「Ｔ」が、別ページ２３１の先頭から順番に配列されている。
【００７９】
マスキング後の対象ページ２０１ａ，２２１ａおよび別ページ２１１，２３１から印刷データが生成される。そして、コントローラー３４は、その印刷データに基づいて、印刷装置２３を制御して、マスキング後の対象ページ２０１ａ，２２１ａおよび別ページ２１１，２３１を印刷用紙に印刷させる。
【００８０】
図６は、実施の形態２における集約印刷時の対象ページと別ページの一例を示す図である。図６に示すように、画像データが４ページの画像２４１〜２４４を有する場合、４ｉｎ１の集約印刷後の対象ページ画像２５１が生成されるとともに、４ｉｎ１の集約印刷後の別ページ画像２５２が生成される。このとき、３頁目の画像２４３がマーキング領域を有さない場合、別ページ画像２５２では、マーキング領域を有さないページ（画像２４３）に対応する別ページは生成されていない。
【００８１】
なお、図６では、マーキング領域を有するページごとに別ページが生成されているが、その代わりに、複数のページのマーキング領域から抽出された文字情報を１つの別ページにまとめて配置するようにしてもよい。また、実施の形態１と同様に、マーキング領域を有さないページ（画像２４３）に対応してブランクページを挿入するようにしてもよい。
【００８２】
なお、実施の形態２に係る画像形成装置のその他の構成および動作は、実施の形態１と同様であるので、その説明を省略する。
【００８３】
以上のように、上記実施の形態２によれば、追加ページ生成部４３は、抽出された文字情報を、上述の別ページ内で列挙して配置する。これにより、別ページ内で、抽出された文字情報の配置に要するスペースが狭くて済む。
【００８４】
実施の形態３．
【００８５】
本発明の実施の形態３に係る画像形成装置では、マーキング抽出部４１は、マーキング領域の色を特定し、追加ページ生成部４３は、対象ページ内のマーキング領域の色が複数ある場合、マーキング領域の色ごとに異なる複数の別ページを生成し、抽出された文字情報を、その文字情報のマーキング領域の色に対応する別ページに配置する。
【００８６】
図７は、実施の形態３における対象ページと別ページの例を示す図である。
【００８７】
実施の形態３では、例えば図７に示すように、対象ページ３０１において、所定の第１色（例えば緑色）のマーキング領域３０２と、第１色とは異なる所定の第２色（例えば青色）のマーキング領域３０３が検出された場合、第１色に対応する別ページ３１１と、第２色に対応する別ページ３１２とが生成され、第１色に対応する別ページ３１１には、第１色のマーキング領域３０２から抽出された文字情報が配置され、第２色に対応する別ページ３１２には、第２色のマーキング領域３０３から抽出された文字情報が配置される。
【００８８】
そして、マスキング後の対象ページ３０１ａおよび別ページ３１１，３１２から印刷データが生成される。そして、コントローラー３４は、その印刷データに基づいて、印刷装置２３を制御して、マスキング後の対象ページ３０１ａおよび別ページ３１１，３１２を印刷用紙に印刷させる。
【００８９】
なお、実施の形態３に係る画像形成装置のその他の構成および動作は、実施の形態１または実施の形態２と同様であるので、その説明を省略する。
【００９０】
以上のように、上記実施の形態３によれば、マーキング色ごとに別ページが生成されるため、マーキング色を変えることで文字情報を分類することができる。
【００９１】
実施の形態４．
【００９２】
本発明の実施の形態４に係る画像形成装置では、マーキング抽出部４１は、マーキング領域の色を特定し、追加ページ生成部４３は、対象ページ内のマーキング領域の色が複数ある場合、マーキング領域の色ごとに異なる複数の領域を別ページ内に形成し、抽出された文字情報を、複数の領域のうちの、その文字情報のマーキング領域の色に対応する領域に配置する。
【００９３】
図８は、実施の形態４における対象ページと別ページの例を示す図である。
【００９４】
実施の形態４では、例えば図８に示すように、対象ページ４０１において、所定の第１色（例えば緑色）のマーキング領域４０２，４０４と、第１色とは異なる所定の第２色（例えば青色）のマーキング領域４０３が検出された場合、別ページ４１１における上半分の領域に、第１色のマーキング領域４０２，４０４から抽出された文字情報が配置され、別ページ４１１における下半分の領域に、第２色のマーキング領域４０３から抽出された文字情報が配置される。
【００９５】
そして、マスキング後の対象ページ４０１ａおよび別ページ４１１から印刷データが生成される。そして、コントローラー３４は、その印刷データに基づいて、印刷装置２３を制御して、マスキング後の対象ページ４０１ａおよび別ページ４１１を印刷用紙に印刷させる。
【００９６】
なお、実施の形態４に係る画像形成装置のその他の構成および動作は、実施の形態２と同様であるので、その説明を省略する。
【００９７】
以上のように、上記実施の形態４によれば、マーキング色ごとに異なる領域に文字情報を配置するため、マーキング色を変えることで文字情報を分類することができる。
【００９８】
なお、上述の各実施の形態は、本発明の好適な例であるが、本発明は、これらに限定されるものではなく、本発明の要旨を逸脱しない範囲において、種々の変形、変更が可能である。
【００９９】
例えば、上記実施の形態１〜４において、複数の対象ページが両面印刷される場合、その複数の対象ページに対応する複数の別ページも同一の印刷設定（ページの向きなど）で両面印刷されるようにしてもよい。
【０１００】
また、上記実施の形態１〜４では、処理後の画像データに基づいて、マスキング後の対象ページおよび別ページを印刷しているが、上述の処理後の画像データに基づく画像をファクシミリで送信するようにしてもよいし、上述の処理後の画像データを、電子メールで送信したり、ファイル転送で送信したりするようにしてもよい。
【０１０１】
また、上述の実施の形態１，２の方式のいずれかを行うことを示す設定値に基づいて選択できるようにしてもよい。
【産業上の利用可能性】
【０１０２】
本発明は、例えば、プリンター、コピー機、複合機などの画像形成装置に適用可能である。
【符号の説明】
【０１０３】
２３  印刷装置
２５  演算処理装置（画像処理装置の一例）
４１  マーキング抽出部
４２  マスキング処理部
４３  追加ページ生成部
１０１，１２１，２０１，２２１，３０１，４０１  対象ページ
１１１，１３１，２１１，２３１，３１１，３１２，４１１  別ページ
１０２，１０３，１２２〜１２５，２０２，２０３，２２２〜２２５，３０２，３０３，４０２〜４０４  マーキング領域
【図１】
0005595350.tif 000002
【図２】
0005595350.tif 000003
【図３】
0005595350.tif 000004
【図４】
0005595350.tif 000005
【図５】
0005595350.tif 000006
【図６】
0005595350.tif 000007
【図７】
0005595350.tif 000008
【図８】
0005595350.tif 000009